(57)【要約】【課題】自撮り棒などに使用される撮影装置保持具について、保持可能なスマートフォンの大きさの種類を増やす。【解決手段】離間配置されて相対向する２個の挟持部３１，３２間に撮影装置Ｘ１，Ｘ２，Ｘ３を付勢力で挟持して保持する撮影装置保持具１１において、挟持部３１，３２のうち一方の挟持部３１を有するとともに、撮影装置Ｘ１，Ｘ２，Ｘ３の背面側において挟持部３１，３２のうちの他方の挟持部３２の方向に延びる背面側支持部３７を有する基台部３３と、挟持部３１，３２のうち他方の挟持部３２を有し、背面側支持部３７の長手方向に沿って移動可能で基台部３３の挟持部３１に接近する方向に付勢された押さえ部３４を備える。背面側支持部３７に、押さえ部３４を保持するとともに背面側支持部３７の長手方向沿って移動する高さ調節部材４１と、高さ調節部材４１を位置決めするねじ棒４４及びナット部材４５を備える。【選択図】図３
2016142841.tif 000002
【特許請求の範囲】
【請求項１】
離間配置されて相対向する２個の挟持部間に撮影装置を付勢力で挟持して保持する撮影装置保持具であって、
前記挟持部のうち一方の挟持部を有するとともに、前記撮影装置の背面側において前記挟持部のうちの他方の挟持部の方向に延びる背面側支持部を有する基台部と、
前記挟持部のうち他方の挟持部を有し、前記背面側支持部の長手方向に沿って移動可能で前記基台部の前記挟持部に接近する方向に付勢された押さえ部を備え、
前記背面側支持部に、前記押さえ部を保持するとともに前記背面側支持部の長手方向沿って移動する高さ調節部材と、
該高さ調節部材を位置決めする位置決め手段を備えた
撮影装置保持具。
【請求項２】
前記背面側支持部が前記押さえ部を保持する複数本の平行なレール部を備えた
請求項１に記載の撮影装置保持具。
【請求項３】
前記位置決め手段が、前記背面側支持部の長手方向に沿って延びるねじ棒と、該ねじ棒に螺合するナット部材で構成された
請求項１または請求項２に記載の撮影装置保持具。
【請求項４】
前記高さ調節部材の前記レール部間に、これらの間を橋渡しするブリッジ部が形成された
請求項２または請求項３に記載の撮影装置保持具。
【請求項５】
前記背面側支持部の長手方向に沿って延びて前記ブリッジ部に貫通するねじ棒と、前記ブリッジ部に保持されて前記ねじ棒に螺合するナット部材で前記位置決め手段を構成した
請求項４に記載の撮影装置保持具。
【請求項６】
前記背面側支持部に、長手方向における長さを示す目盛を備えた
請求項１から請求項５のうちいずれか一項に記載の撮影装置保持具。
【請求項７】
前記基台部の底面に、支持体に設けられたねじ部を螺合するねじ穴を備えた
請求項１から請求項６のうちいずれか一項に記載の撮影装置保持具。
【請求項８】
請求項１から請求項７のうちいずれか一項に記載の撮影装置保持具を備えた
自撮り棒。
【発明の詳細な説明】
【技術分野】
【０００１】
この発明は、例えばスマートフォン、ファブレットなどのような携帯型の撮影装置を保持する撮影装置保持具に関し、より詳しくは、自撮り棒を構成する部材や三脚に取り付ける部材などとして好適に用いられ、大きさの異なる撮影装置でも保持できるような撮影装置保持具に関する。
【背景技術】
【０００２】
自撮り棒として、下記特許文献１、２に開示されているようなものが提案されている。これらの自撮り棒はスマートフォンを保持する保持構造を棒の先に備えたものである。
【０００３】
保持構造はスマートフォンを挟持して保持するもので、離間配置されて相対向する２個の挟持部を備え、一方の挟持部が他方の挟持部側に向けてばねで付勢されている。ばねで付勢されているので、一方の挟持部を離反方向に引っ張って挟持部間にスマートフォンを入れたのち、引っ張っていた挟持部を離せば、スマートフォンが挟持部間に保持される。このため、操作が簡単で、旅先で写真撮影する場合などに好適に使用されている。
【０００４】
しかしながら、スマートフォンなどの撮影装置は大きさが統一されておらず、大きさにばらつきがある。そのうえ、日々進化する装置の進化の方向性は多様で、将来の大きさの変化も予測しにくい状態である。例えばスマートフォンだけをみても現在、幅６０ｍｍ前後で高さ１２０ｍｍほどの大きさのものから、大きなものでは幅９０ｍｍ、高さ１４０ｍｍを超えるものもある。一方、小さいものでは幅五十数ｍｍで高さ高さ１１０ｍｍ前後のものがある。
【０００５】
スマートフォンを幅方向で挟持する保持構造のうち可動範囲が広いものでは、保持部間の間隔は５５ｍｍから８５ｍｍまで離せるように設定されている。この理由の一つには携帯性があると考えられる。
【０００６】
しかし、前述例のようにその可動範囲を逸脱する大きさのスマートフォンがあり、そのようなスマートフォンを保持することはできない。
【０００７】
また、ばねで付勢しているので、保持部の可動範囲にあったとしても適切に保持できるとは限らない。つまり、ばねに圧縮コイルばねを用いて、これが圧縮されると付勢力が働くように構成しているので、付勢力に抗して一方の挟持部を引っ張り始めたときには負荷が小さいが、幅の広いものに対応させようとして可動域の上限に近づけは近づくほど負荷が大きいという性質がある。このため幅の狭いもの、例えば５５ｍｍのものでは保持力が小さく不安定となりやすい。操作中にスマートフォンを落としてしまうこともあり得る。一方、幅が広いもの、例えば８０ｍｍや８５ｍｍのものになると、保持する作業が力を要する困難なものである上に、保持されたスマートフォンには圧縮の強い負荷がかかる。このため保持する時または保持した時にスマートフォンを棄損してしまうことも考えられる。
【先行技術文献】
【特許文献】
【０００８】
【特許文献１】登録実用新案第３１８５８０３号公報
【特許文献２】登録実用新案第３１９３７２３号公報
【発明の概要】
【発明が解決しようとする課題】
【０００９】
そこで、この発明は、撮影装置の大きさの違いに幅広く対応できるようにすることを主な目的とする。
【課題を解決するための手段】
【００１０】
そのための手段は、離間配置されて相対向する２個の挟持部間に撮影装置を付勢力で挟持して保持する撮影装置保持具であって、前記挟持部のうち一方の挟持部を有するとともに、前記撮影装置の背面側において前記挟持部のうちの他方の挟持部の方向に延びる背面側支持部を有する基台部と、前記挟持部のうち他方の挟持部を有し、前記背面側支持部の長手方向に沿って移動可能で前記基台部の前記挟持部に接近する方向に付勢された押さえ部を備え、前記背面側支持部に、前記押さえ部を保持するとともに前記背面側支持部の長手方向沿って移動する高さ調節部材と、該高さ調節部材を位置決めする位置決め手段を備えた撮影装置保持具である。
【００１１】
この構成では、長さ調節部材は基台の背面側支持部上で移動し、保持している押さえ部の挟持部について、基台部の挟持部からの高さを変更する。高さ調節部材の高さは位置決め手段で固定される。挟持部間の距離を撮影装置の挟持する部分の幅よりも幅狭に設定した高さ調節部材の挟持部を、基台部の挟持部から離間する方向に付勢力に抗して引っ張り撮影装置を挟み込めば、付勢力により挟持部間に撮影措置が保持される。
【００１２】
押さえ部を保持する高さ調節部材の基台部上での高さを撮影装置の大きさに合わせて変更できるので、多くの種類の大きさの撮影装置を保持可能にすることができる。撮影装置にケースやカバー、パンパなどが取り付けられている場合でも、保持可能にすることもできる。また高さ調節部材を有するので、押さえ部で保持する保持力、つまり撮影装置を保持する挟持力を調整することもできる。挟持力の調整は、撮影装置を保持したあとで高さ調節部材の高さを調整してもよい。挟持力の調整ができるので撮影装置にケースやカバー、パンパなどが取り付けられている場合には、その状況、例えば滑りやすいとか壊れやすいとか傷つきやすいとかの状況に応じて適切な保持が行える。
【００１３】
この発明の態様として、前記背面側支持部を前記押さえ部を保持する複数本の平行なレール部を備えるものとすることができる。
【００１４】
この構成では、レール部が高さ調節部材の移動に際して安定性を高め、ねじれなどの発生を抑制できる。このため、保持可能な撮影装置の大きさの幅を広げることに資する。
【００１５】
この発明の態様として、前記位置決め手段を、前記背面側支持部の長手方向に沿って延びるねじ棒と、該ねじ棒に螺合するナット部材で構成することができる。
【００１６】
この構成では、高さ調整手段の高さを連続的に無段階に行うことができる。このため、大きさの異なる撮影装置に対するより細かな対応が可能であるとともに、緩すぎず締めすぎない適切な挟持力での保持も可能である。
【００１７】
この発明の態様として、前記複数本のレール部を備えた場合、前記高さ調節部材の前記レール部間に、これらの間を橋渡しするブリッジ部を形成することができる。
【００１８】
この構成では、ブリッジ部が高さ調節部材の一体化と強度向上を行う。このため、高さ調節の作業性をよくすることができるうえに、保持可能な撮影装置の大きさの範囲を広げることに資する。
【００１９】
この発明の態様として、前記ブリッジ部を備えた場合、前記背面側支持部の長手方向に沿って延びて前記ブリッジ部に貫通するねじ棒と、前記ブリッジ部に保持されて前記ねじ棒に螺合するナット部材で前記位置決め手段を構成することができる。
【００２０】
この構成では、高さ調節部材の一体化と強度向上を実現しながらも、ねじ棒とナット部材で構成される位置決め手段を、少ない部品点数の簡素な構成で組み込める。このため、コンパクト化を図れるとともに、操作性もよく使いやすいものとすることができる。
【００２１】
この発明の態様として、前記背面側支持部に、長手方向における長さを示す目盛を備えることができる。
【００２２】
この構成では、目盛がおおよそに長さを示すので、挟持部間のおおよその距離を容易に知ることができる。このため、高さ調節部材の位置調節が容易に行える。このため、多くの種類の大きさの撮影装置を固定可能にすることができる効果の実効性を高めることができる。
【００２３】
この発明の態様として、前記基台部の底面に、支持体に設けられたねじ部を螺合するねじ穴を備えることができる。
【００２４】
この構成では、必要に応じて適宜着脱できるようにすることが可能であるとともに、既存の自撮り棒の棒体の先端や三脚、一脚などに固定したりすることが可能となり、多くの種類の大きさの撮影装置を固定可能にすることができる効果を更に高めるものとなる。
【００２５】
課題を解決するための別の手段は、前記撮影装置保持具を備えた自撮り棒である。
【発明の効果】
【００２６】
この発明によれば、撮影装置の大きさの違いに幅広く対応可能にすることができる。
【図面の簡単な説明】
【００２７】
【図１】撮影装置保持具の斜視図。
【図２】自撮り棒の正面図。
【図３】撮影装置保持具と撮影装置の斜視図。
【図４】撮影装置保持具の斜視図。
【図５】撮影装置保持具の分解斜視図。
【図６】撮影装置保持具の受け部と高さ調節部材の斜視図。
【図７】分解状態の撮影装置保持具の正面図。
【発明を実施するための形態】
【００２８】
この発明を実施するための一形態を、以下図面を用いて説明する。  
図１は撮影装置保持具１１の斜視図であり、この撮影装置保持具１１は、例えば図２に示したような自撮り棒２１（「セルフィースティック」や「セルカ棒」とも称される）の部品として使用される。このほか、図示を省略するが、三脚や一脚に固定して使用することもできるものである。
【００２９】
まず、自撮り棒２１の構造について簡単に説明する。  
自撮り棒２１は、支持体２２と、この支持体２２の先端に着脱可能に固定される撮影装置保持具１１で構成される。支持体２２は、伸縮可能な伸縮棒２３と、この伸縮棒２３の先端に設けられた首部２４を有する。伸縮棒２３はアンテナのような公知の構造で、適宜長さに伸び縮みするものである。首部２４は、固定側部材２５とこの固定側部材２５に対して回転可能で角度保持可能に取り付けられる回転部材２６で構成されている。回転部材２６の回転軸は、伸縮棒２３の長手方向と直交する方向で、回転軸の端部に設けた締め付け部材２７の締め付けで角度を固定できる構成である。回転部材２６の先端面には滑り止め機能を果たす受け部２６ａが設けられ、この受け部２６ａの上面から、撮影装置保持具１１を固定できるようにするためのねじ部２８を突出させている。ねじ部２８は円板状の操作具２９で回転可能である。
【００３０】
このような自撮り棒２１は、図３に示したように、スマートフォンに代表される様々な大きさの撮影装置Ｘ１，Ｘ２，Ｘ３を撮影装置保持具１１に保持して使用される。
【００３１】
つぎに、撮影装置保持具１１の構造について説明する。  
撮影装置保持具１１は、離間配置されて相対向する２個の挟持部３１，３２間に撮影装置Ｘ１，Ｘ２，Ｘ３を付勢力で挟持して保持するものである。
【００３２】
具体的には、撮影装置保持具１１は、図４に示したように、首部２４（図２参照）に着脱可能に固定される基台部３３と、この基台部３３に保持されて付勢力で撮影装置Ｘ１，Ｘ２，Ｘ３を押さえる押さえ部３４を備える。これら基台部３３と押さえ部３４にそれぞれ、前述の挟持部３１，３２が形成される。
【００３３】
基台部３３に形成される一方の挟持部３１は、おおよそ長方形の板状である。基台部３３の略中央部には、支持体２２（図２参照）に設けられたねじ部２８（図２参照）を螺合するねじ穴３５を備えている。ねじ穴３５は少なくとも下に開口しており、ねじ穴３５の中心軸線は挟持部３１の厚み方向にのびるように設定されている。ねじ穴３５の周囲には、軽量化等のためのぬすみ３６を有している。また挟持部３１の上面における前面側には、クッション性付与と緩衝と滑り止めのための緩衝材３１ａを備えている。
【００３４】
挟持部３１の背面側には、撮影装置Ｘ１，Ｘ２，Ｘ３の背面側において他方の挟持部３２の方向、つまり挟持部３１の上面から垂直上方に延びる背面側支持部３７を有している。
【００３５】
背面側支持部３７は、押さえ部３４を保持する複数本、具体的には２本の平行なレール部３８を備えている。この例ではレール部３８は、挟持部３１の左右方向の両端部に形成されている。
【００３６】
レール部３８は、横断面半円柱状の外側半円形部３９と、この外側半円形部３９の直線状の部分に形成される横断面角柱状の内側方形部４０を有する形状で、離間配置された２本のレール部３８は内側方形部４０同士が向き合っている。
【００３７】
このような背面側支持部３７に、押さえ部３４を保持するとともに背面側支持部３７の長手方向に沿って移動する高さ調節部材４１を備えている。高さ調節部材４１のレール部３８ａは、図５に示したように、一方の挟持部３１に立設されているレール部３８ｂに挿嵌可能な形状で、前述のように外側半円形部３９と内側方形部４０を有している。
【００３８】
高さ調節部材４１の２本のレール部３８ａ間には、これらの間を橋渡しするブリッジ部４２が形成されている。ブリッジ部４２はレール部３８ａの下端に位置している。
【００３９】
ブリッジ部４２は上下方向に貫通する貫通穴４３を中央に有している。この貫通穴４３は挟持部３１の背面側の部分にレール部３８ｂと平行に立設したねじ棒４４を挿通するための部分である。
【００４０】
ねじ棒４４は、高さ調節部材４１を位置決めする位置決め手段の一部を構成するものである。位置決め手段は、背面側支持部３７の長手方向に沿って延びる前述のねじ棒４４と、このねじ棒４４に螺合するナット部材４５で構成される。ねじ棒４４の高さは、高さ調節部材４１の所望する移動距離に応じて設定されるが、挟持部３１に立設されたレール部３８ｂの高さよりも低くてよい。
【００４１】
ねじ棒４４に螺合するナット部材４５を保持するため、ブリッジ部４２における貫通穴４３を有する部分には前後方向に貫通するナット収納部４６が形成されている。このナット収容部４６を形成する部分の前後両面は凹曲面にして、ナット部材４５の大きさをブリッジ部４２の幅よりも大きくしなくても回転できるようにしている。
【００４２】
押さえ部３４を保持した高さ調節部材４１を挿嵌するため、一方の挟持部３１に立設されているレール部３８ｂの外側半円形部３９には、長手方向にのびる挿入穴４７が形成されており、中空である。
【００４３】
同様に、高さ調節部材４１のレール部３８ａは押さえ部３４を保持するために中空である。レール部３８ａの外側半円形部３９の上面には、押さえ部３４を保持するために上下に貫通する保持穴４８が形成されている。
【００４４】
押さえ部３４は、金属製の線状体で構成され、基台部３３に備えられた一方の挟持部３１に対向する他方の挟持部３２を有している。そして押さえ部３４は、背面側支持部３７の長手方向に沿って移動可能で基台部３３の挟持部（一方の挟持部３１）に接近する方向に付勢されている。
【００４５】
図６は、押さえ部３４を高さ調節部材４１から分離した状態を示す斜視図である。この図に示すように、押さえ部３４は、高さ調節部材４１の２本のレール部３８ａに形成された保持穴４８に挿入可能な間隔で平行に並ぶ挿入軸部５１を有する。これら挿入軸部５１の上端は、これらを一体に連結する連結部５２を前面側にせり出して設け、この連結部５２の中間部に前述した他方の挟持部３２が形成されている。
【００４６】
他方の挟持部３２は、軟質合成樹脂の一体成形で構成され、平面視略Ｔ字形をなすブロック状である。他方の保持部３２は適宜の厚さに形成され、図示しないが底面には滑り止めに供する複数の突条を備える。一方上面には、摘み部５３を立設している。この摘み部５３の左右両側面にも、滑り止めに供する複数の突条５３ａを備えている。
【００４７】
挿入軸部５１の長さは、高さ調節部材４１のレール部３８ａの長さや所望する可動距離、付勢力を得るための圧縮コイルばね５４のばね定数などに応じて適宜設定される。
【００４８】
付勢手段としての圧縮コイルばね５４は、高さ調節部材４１のレール部３８ａに上から挿入された挿入軸部５１に対して挿嵌される。圧縮コイルばね５４の直径はレール部３８ａの保持穴４８よりも大径である。挿入軸部５１に対する圧縮コイルばね５４の保持は、同じく圧縮コイルばね５４の直径よりも大径の止めねじ部材５５を挿入軸部５１の下端に形成された雄ねじ５１ａに螺合して行う。
【００４９】
押さえ部３４を保持した高さ調節部材４１は、そのレール部３８ａを一方の挟持部３１に立設したレール部３８ｂに嵌めると、押さえ部３４の止めねじ部材５５と挿入軸部５１などはレール部３８ｂの挿入穴４７内に保持される。高さ調節部材４１のブリッジ部４２におけるナット収納部４６にナット部材４５を収納してナット部材４５を回転しながら高さ調節部材４１を降下すれば、ナット部材４５とねじ棒４４の螺合が行え、高さ調節部材４１はレール部３８の長さを伸縮するように移動可能であるとともに、位置決めも行える状態となる。
【００５０】
図１〜図６では便宜上、図示を省略したが、図７に示したように、背面側支持部３７のレール部３８には長手方向における長さを示す目盛４９を備えている。目盛４９は、レール部３８の内側方形部４０の少なくとも前面に形成される。
【００５１】
この目盛４９は、挟持部３１，３２間の距離を把握するものである。目盛４９は適宜付することができるが、刻印でもシールでもよい。また目盛４９は挟持部３１，３２間の距離を正確に表示するものでもよいが、図示例のように高さ調節部材４１のレール部３８ａと一方の挟持部３１に立設したレール部３８ｂにそれぞれ目盛４９を形成するものであってもよい。挟持部３１，３２間のおおよその距離を把握できるからである。
【００５２】
以上のように構成された撮影装置保持具１１は、図１、図４に仮想線でした召したように、押さえ部３４の摘み部５３を引っ張って、他方の挟持部３２を基台部３３に設けられた一方の挟持部３１から離す方向に付勢力に抗して移動して、挟持部３１，３２間に撮影装置Ｘ１，Ｘ２，Ｘ３（図３参照）を置いて摘み部５３を離せば、押さえ部３４は一方の挟持部３１側に移動して撮影装置Ｘ１，Ｘ２，Ｘ３を保持する。この保持状態は圧縮コイルばね５４による付勢力でもって維持される。
【００５３】
このような取り付けに先だって、背面側支持部３７の高さを撮影装置Ｘ１，Ｘ２，Ｘ３に合わせて設定する。つまり、図３に示したように、撮影装置Ｘ１，Ｘ２，Ｘ３における保持する方向、換言すれば挟持する方向の大きさＷ３が、撮影装置Ｘ３のように狭い場合には、高さ調節部材４１を一方の挟持部３１に着けた状態、またはそれに近い状態にする。一方、撮影装置Ｘ２のように挟持する方向の大きさＷ２が広い場合には、高さ調節部材４１を上に上げる。
【００５４】
高さ調節部材４１の高さ調節は、挟持部３１，３２間の距離が撮影装置Ｘ１，Ｘ２，Ｘ３の挟持する方向の幅よりも若干狭くなるようにする。例えば１０ｍｍから２０ｍｍ程度でよい。レール部３８に付された目盛４９が挟持部３１，３２間のおおよその距離を示すので、高さ調節部材４１の位置調節は容易である。多くの種類の大きさの撮影装置Ｘ１，Ｘ２，Ｘ３を保持可能にすることができる効果を実効性の高いものとすることができる。
【００５５】
押さえ部３４を保持する高さ調節部材４１を高さ調節可能であるので、簡単な操作での保持を維持しながらも、保持可能な撮影装置Ｘ１，Ｘ２，Ｘ３の大きさの範囲を広げることができる。ひいては、進化が著しく流行性のあるスマートフォンはどのような大きさに将来変化するのかわからないが、前述のように保持可能な撮影装置Ｘ１，Ｘ２，Ｘ３の大きさの範囲が広いので、形態の変化に対応できずにすぐに使えなくなってしまうことはなく、将来にわたって使用できるものである。加えて、撮影装置に取り付けるケースやカバー、パンパなどのアクセサリー（図示せず）の有無やアクセサリーの変化にも対応できる。
【００５６】
また、高さ調節部材４１は挟持部３１，３２で保持する保持力、つまり撮影装置Ｘ１，Ｘ２，Ｘ３を保持する挟持力を調整機能も果たす。保持力の調整は、撮影装置Ｘ１，Ｘ２，Ｘ３を保持したあとで高さ調節部材４１の高さを調整して行ってもよい。保持力を調整することができるので、例えば撮影装置Ｘ１，Ｘ２，Ｘ３にケースやカバー、パンパなどのアクセサリーが取り付けられている場合に、例えば滑りやすいとか壊れやすいとか傷つきやすいとかの状況に応じた適切な保持が行える。
【００５７】
別の視点から見ると、高さ調節部材４１を備えてより小さい撮影装置Ｘ３でも保持できるようにしているので、使用しないときに高さ調節部材４１を最も下に下げることによって、大きさをより小さいものとすることができ、携帯性を高めることもできる。
【００５８】
高さの調節は、ねじ棒４４とナット部材４５で行うので、連続的に無段階に行うことができる。このため、大きさの異なる撮影装置Ｘ１，Ｘ２，Ｘ３に対するより細かな対応が可能である。そのうえ、保持状態は圧縮コイルばね５４による付勢力で保持されるが、挟持部３１，３２による挟持力を弱すぎず、強すぎない、適切な力で保持させることも可能である。これにより、撮影装置Ｘ１，Ｘ２，Ｘ３の保持作業を容易に行い、撮影装置Ｘ１，Ｘ２，Ｘ３の不測の損傷を回避することができる。
【００５９】
また、高さ調節部材４１は、左右両端にレール部３８ａを備え、これらを連結するブリッジ部４２を備え、このブリッジ部４２にナット部材４５を保持しているので、片手で行うことができ、高さ調節のための操作性は極めてよい。ごく簡単に適切な高さ調整を行うことができるので使いやすい。
【００６０】
しかも、ねじ棒４４をブリッジ部４２に貫通させ、ナット部材４５をブリッジ部４２に保持する構成であるので、ねじ棒４４とナット部材４５はそれぞれ１個ずつ備えれば位置決め手段を構成でき、極めて簡素な構成である。このため、コンパクトな形態であるうえに、組み立て性がよく、製造コストを抑えることもできる。
【００６１】
高さ調節部材４１について、背面側支持部３７を２本のレール部３８ａで構成しているので、高さ調節部材４１の移動が安定性良く真っ直ぐに行え、相対向しているべき挟持部３１，３２同士がずれてしまうようなねじれの発生を回避できる。このため、高さ調節部材４１の可動範囲を長くして、より幅広の撮影装置Ｘ２を保持できるようにした場合でも、高さ調節部材４１の移動の安定性を確保できる。つまり、保持可能な撮影装置Ｘ１，Ｘ２，Ｘ３の大きさの範囲を広げることに貢献する。
【００６２】
そのうえレール部３８ａ同士はブリッジ部４２で連結一体化されているので、前述したように高さ調節の作業性は極めてよい。しかも、ブリッジ部４２で一体化されることによって強度が向上するので、前述のように高さ調節部材４１の可動範囲を長くして、より幅広の撮影装置Ｘ２を保持できるようにした場合でも、高さ調節部材４１の移動の安定性と操作性を確保でき、保持可能な撮影装置Ｘ１，Ｘ２，Ｘ３の大きさの範囲を広げることに資する。
【００６３】
基台部３３には、ねじ穴３５が形成されており、支持体２２に対して着脱可能に固定可能であるので、例えば既存の自撮り棒２１の撮影装置保持具と付け替えて使用したり、既存の三脚などに固定して使用したりすることができる。このため、多くの種類の大きさの撮影装置を保持可能にすることができるという効果をより広い場面で享受できる。
【００６４】
以上の構成はこの発明を実施するための一形態であり、この発明は前述の構成のみに限定されるものではなく、その他の構成を採用することもできる。
【００６５】
例えば、背面側支持部は板状であってもよく、位置決め手段は係止によって段階的に位置決めするものであってもよい。
【００６６】
背面側支持部は、前述のように１個の高さ調節部材のみで高さ調節するものではなく、複数個の高さ調節部材を備えて、多段階で高さ調節するようにしてもよい。この場合には、最も上の高さ調節部材のみが押さえ部を備えるものとなる。
【００６７】
位置決め手段を構成するねじ棒の上端に、例えばねじ止めによってねじ棒が貫通する貫通穴よりも大径の部材を取り付ければ、高さ調節に際して、高さ調節部材が不測に脱落してしまうことを防止できる。
【符号の説明】
【００６８】
１１…撮影装置保持具
２１…自撮り棒
２２…支持体
２８…ねじ部
３１，３２…挟持部
３３…基台部
３４…押さえ部
３５…ねじ穴
３７…背面側支持部
３８，３８ａ，３８ｂ…レール部
４１…高さ調節部材
４２…ブリッジ部
４４…ねじ棒
４５…ナット部材
４９…目盛
５４…圧縮コイルばね
【図１】
2016142841.tif 000003
【図２】
2016142841.tif 000004
【図３】
2016142841.tif 000005
【図４】
2016142841.tif 000006
【図５】
2016142841.tif 000007
【図６】
2016142841.tif 000008
【図７】
2016142841.tif 000009